(57)【要約】      （修正有）【課題】使用することにより、自宅生活が快適に送れる尿失禁防止補助具の提供。【解決手段】女性の膣内を、形を作った尿失禁防止補助具の前方の突起部先端から、下方に１ｃｍ間隔で尿失禁防止補助具のくびれ部まで、尿失禁防止補助具の形状にそって丸形磁石の平らな面を外側に向けて尿失禁防止補助具に配列内蔵し、挿入により女性の尿道括約筋から尿道口までを配置内蔵した磁石が平行になり磁力により、血液の循環、冷えからおこる尿失禁を改善し、尿道括約筋のゆるみ、硬直を改善し肛門筋、骨盤底筋郡の崩れたバランスを戻し、冷えによる尿失禁を防止し、生活を送りながら治療し以前に戻す事であり極めて有効である。【選択図】図１
0003119698.tif 000002
【実用新案登録請求の範囲】
【請求項１】
女性の膣内を、形を作った尿失禁防止補助具に前方の突起部先端から、下方に１ｃｍ間隔で尿失禁補助具のくびれ部まで、尿失禁防止補助具の形状にそって丸形磁石の平らな面を外側に向けて尿失禁防止補助具に配列内蔵したことを特徴とする尿失禁防止補助具である。
【請求項２】
女性の膣内に挿入する、尿失禁防止補助具のくびれ部が膣の入り口に位置し、そのくびれ部に円形状そって丸形磁石の平らな面を外側に向けて配列内蔵したことを特徴とする尿失禁防止補助具である。
【請求項３】
尿失禁防止補助具の進入防止止め、前方中央部の先端から丸形磁石の平らな面を内側に向け後方に１ｃｍ間隔で２個を配列内蔵し、その延長後尾に丸形磁石１個を平らな面を内側に向けて配置内蔵したことを特徴とする尿失禁防止補助具である。
【請求項４】
女性の膣内は、姿勢により形態が様々に変わり、尿失禁防止補助具を挿入により圧迫感を緩和するために、圧迫除去溝をもうけることに関する尿失禁防止補助具である。
【考案の詳細な説明】
【技術分野】
【０００１】
本考案は、女性の膣内に磁石を内蔵した尿失禁防止補助具を挿入し、尿道括約筋を強化し肛門筋、骨盤底筋郡をやわらげることに関す。
【背景技術】
【０００２】
現在における技術、薬に頼りながら尿失禁を治したいと悩んでいる女性が数多く、産後による尿道括約筋の拡張による尿失禁に悩む女性、中高年の尿道括約筋の拡張、尿道括約筋の硬直でおこる尿失禁に悩む女性が５割近くいるなか、現在の状況のなかで速やかな解決に至るまでは容易ではない。
【０００３】
技術が進むにつれ、治療する方向性ではなく尿が出たら吸い取る、オムツをする、ナプキンをする、単なる応急処置の用に思われ解決までは程遠く容易ではない
【０００４】
公報の物件は、単に膣の筋肉を強化し膣のしまりを強めることであり、一般には膣のしまりの強さと、尿失禁の悩みは方向性がちがい速やかな機能を有する訳ではない。
【０００５】
本考案に、関連する公知技術として次の特許文献２を挙げることができる
【特許文献１】特開  ２０００−２３７３４５号公報
【特許文献２】特開  平７−１９４６６３号公報
【考案の開示】
【考案が解決しようとする課題】
【０００６】
現在の技術、薬が進歩するなかで尿失禁に悩みながら生活している女性が５割近くいるなか、産後による尿道括約筋の拡張による尿失禁に悩む女性、中高年の尿道括約筋の拡張、尿道括約筋の硬直で尿失禁に悩む女性が自宅で生活を送りながら治療し完治することは難しい。
【０００７】
現在の技術、薬が進歩するなかで冷えから起きる尿失禁する方は、温泉に行ったり厚着をしたりしているが、一時的なことで普通の生活のなかで治療し、完治することは難しい。
【０００８】
本考案は、このような点に鑑みて成されたものであり、その目的は、形を作った尿失禁防止補助具に磁石を内蔵し、挿入したまま普通に生活し以前の尿道括約筋にもどすことにある。
【課題を解決するための手段】
【０００９】
女性の膣内の、形を作った尿失禁防止補助具に前方の突起部先端から、下方に１ｃｍ間隔で尿失禁防止補助具のくびれ部まで、尿失禁防止補助具の形状にそって丸形磁石の平らな面を外側に向けて尿失禁防止補助具に配列内蔵し、挿入により女性の尿道括約筋から尿道口までを内蔵した磁石が平行になり磁力により、尿道括約筋を強化することである。
【００１０】
女性の膣内に挿入する、尿失禁防止補助具のくびれ部が膣の入り口に位置し、そのくびれ部に円形状にそって丸形磁石の平らな面を外側に向けて配列内蔵し、挿入により磁力による骨盤底筋郡をやわらげ、血液の循環を改善し女性特有の冷え防止に優れ、冷えによる尿失禁を防止する。
【００１１】
尿失禁防止補助具の進入防止止めに、前方の中央部先端から丸形磁石の平らな面を内側に向け後方に１ｃｍ間隔で２個配列内蔵し、その延長後尾に丸形磁石一個を平らな面を内側に向け配置内蔵し、骨盤底筋郡全体を磁力でやわらげ、冷えを防止し冷えによる尿失禁を防止することができる。
【００１２】
女性の膣内は、姿勢により形態がさまざまに変わり、尿失禁防止補助具を挿入により圧迫感を緩和するために、圧迫除去溝をもうけることで快適に生活が送れる。
【考案の効果】
【００１３】
以上説明したように本考案は、挿入により女性の尿道括約筋に平行して内蔵した磁石が磁力より、尿道括約筋全体の拡張をもどし、硬直をやわらげ尿失禁に極めて有効であり、尿失禁防止補助具の進入防止止め内に、配列内蔵した磁石の磁力より肛門筋、骨盤底筋郡の崩れた筋肉のバランスをもどし、全体をやわらげ血液の循環を活性化し、冷えを防止することから優れた尿失禁防止補助具である。
【考案を実施するための最良の形態】
【００１４】
以下本考案の実施の形態を図面に基づき詳細に説明する。
【００１５】
図１―１で示すように、女性の膣内を石膏で形を作った尿失禁防止補助具を本体に、シリコンで型枠を取り型枠に前方の突起部先端から、図５―１０で示すように、尿失禁防止補助具の形状にそって下方に１ｃｍ間隔で、丸形磁石を平らな面を外側に向けて配列内蔵し医療用シリコンをそそぎ尿失禁防止補助具本体を作り、図７―１０、挿入により女性の尿道括約筋から尿道口まで配列内臓された磁石が尿道括約筋に平行になり、磁力により尿道括約筋を強化する。
【００１６】
図２、図３ー８で示すように、尿失禁防止補助具のくびれ部が女性の膣の入り口であり、尿失禁防止補助具のくびれ部に円形状にそって、図６―１３で示すように、丸形磁石の平らな面を外側に向けて配列内蔵し、挿入により骨盤底筋郡をやわらげ血液の循環を改善し、女性特有の冷えによる尿失禁を防止することである。
【００１７】
図５―１１、１２で示すように、尿失禁防止補助具の進入防止止めに、前方の中央部先端から丸形磁石の平らな面を内側に向け、後方に１ｃｍ間隔で２個配列内蔵し、その延長後方に丸形磁石１個を平らな面を内側に向けて内蔵し、骨盤底筋郡全体をやわらげ、血液の循環を改善し細胞を活性化し全体の冷えによる尿失禁を防止することである。
【００１８】
図２、図３―３で示すように、女性の膣内は姿勢により形態が様々に変わり、尿失禁防止補助具を挿入することにより圧迫感を緩和するため、圧迫除去溝をもうけることで快適に生活が送れる。
【００１９】
図４―４で示すように、尿失禁防止補助具を挿入し日常生活をすごしていても、落ちたり、抜けたり、ずれを防止し違和感がなく生活ができ尿が出る時は、手で簡単にはずし又挿入し尿道括約筋を強化できる。
【００２０】
女性の膣内は、口腔内と同じく体内であり安全性を向上させ、女性が安心して使用できるように材質を医療用シリコンを使用することで安心である。
【００２１】
図７で示すように、尿失禁防止補助具の挿入断面図である。
【実施例】
【００２２】
女性は１人、１人が膣内がちがい膣が狭い人、膣が広い人と様々で挿入の太さが３ｃｍ、挿入の長さが７ｃｍ、進入防止止めの長さ５ｃｍ、進入防止止めの幅が２、５ｃｍの形で普通の女性が使用する大きさであり、様々な女性の要望にこたえて作成ができる。
【産業上の利用可能性】
【００２３】
女性の５割近い方が尿失禁で悩んでいる現在、本人が治したいと思う女性が５割近い方が全員であり、この様な情勢から尿失禁防止補助具は、製造、販売する産業上速やかに利用することができる。
【図面の簡単な説明】
【００２４】
【図１】本考案の尿失禁防止補助具の実施例を示す正面図である。
【図２】本考案の尿失禁防止補助具のくびれ部磁石内臓一部切欠断正面図である。
【図３】本考案の尿失禁防止補助具のくびれ部磁石内臓一部切欠断背面図である。
【図４】本考案の尿失禁防止補助具の左側面図である。
【図５】本考案の尿失禁防止補助具の左側断面図である。
【図６】本考案の尿失禁防止補助具の内臓丸形磁石である。
【図７】本考案の尿失禁防止補助具の挿入右側断面図である。
【符号の説明】
【００２５】
１  尿失禁防止補助具本体
２  先端突起部
３  圧迫除去溝
４  ずれ防止壁
５  くびれ部
６  前方進入防止止め
７  尿失禁防止補助具底面
８  丸形磁石の円形状配列
９  後方進入防止止め
１０  前方丸形磁石の形状配列
１１  前方進入防止止め丸形磁石配列
１２  後方進入防止止め丸形磁石
１３  丸形磁石の形状
１４  子宮
１５  背骨
１６  大腸
１７  膀胱
１８  尿道
１９  尿失禁防止補助具の挿入
２０  進入防止止め
２１  前方
【図１】
0003119698.tif 000003
【図２】
0003119698.tif 000004
【図３】
0003119698.tif 000005
【図４】
0003119698.tif 000006
【図５】
0003119698.tif 000007
【図６】
0003119698.tif 000008
【図７】
0003119698.tif 000009
【手続補正書】
【提出日】平成17年12月19日(2005.12.19)
【手続補正１】
【補正対象書類名】実用新案登録請求の範囲
【補正対象項目名】全文
【補正方法】変更
【補正の内容】
【実用新案登録請求の範囲】
【請求項１】
女性の膣内を、形を作った尿失禁防止補助具に前方の突起部先端から、下方に１ｃｍ間隔で尿失禁防止補助具のくびれ部まで、尿失禁防止補助具の形状にそって丸形磁石の平らな面を外側に向けて尿失禁防止補助具に配列内蔵したことを特徴とする尿失禁防止補助具。
【請求項２】
女性の膣内に挿入する、尿失禁防止補助具のくびれ部が膣の入り口に位置し、その
くびれ部に円形状にそって丸形磁石の平らな面を外側に向けて配列内蔵しいことを特徴とする請求項１記載の尿失禁防止補助具。
【請求項３】
尿失禁防止補助具の進入防止止め、前方中央部の先端から丸形磁石の平らな面を内側に向け後方に１ｃｍ間隔で２個を配列内蔵し、その延長後尾に丸形磁石１個を平らな面を内側に向けて配置内蔵したことを特徴とする請求項１記載の尿失禁防止補助具。
【請求項４】
女性の膣内は、姿勢により形態が様々に変わり、尿失禁防止補助具を挿入により圧迫感を緩和するために、圧迫除去溝をもうけることに関する請求項１記載の尿失禁防止補助具。